【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
第１乃至第３のトランジスタと、発光素子とを各画素に有し、
前記第１のトランジスタのゲートは、第１の配線に接続されており、
前記第２のトランジスタのゲートは、第２の配線に接続されており、
前記第１のトランジスタによって、信号線と前記第３のトランジスタのゲートとの接続が制御され、
前記第２のトランジスタ及び前記第３のトランジスタは、前記発光素子が有する画素電極と、第３の配線との間において、直列に接続されていることを特徴とする発光装置。
【請求項２】
第１乃至第３のトランジスタと、発光素子とを各画素に有し、
前記第１のトランジスタのゲートは、第１の走査線に接続されており、
前記第２のトランジスタのゲートは、第２の走査線に接続されており、
前記第１のトランジスタによって、信号線と前記第３のトランジスタのゲートとの接続が制御され、
前記第２のトランジスタ及び前記第３のトランジスタは、前記発光素子が有する画素電極と、電源線との間において、直列に接続されており、
前記信号線、前記第２の走査線及び前記電源線は並列に配置されており、
前記第１の走査線は、前記信号線、前記第２の走査線及び前記電源線と交差していることを特徴とする発光装置。
【請求項３】
第１乃至第３のトランジスタと、発光素子とを各画素に有し、
前記第１のトランジスタのゲートは、第１の走査線に接続されており、
前記第１のトランジスタによって、信号線と前記第３のトランジスタのゲートとの接続が制御され、
前記第２のトランジスタ及び前記第３のトランジスタは、前記発光素子が有する画素電極と、電源線との間において、直列に接続されており、
前記信号線及び前記電源線は並列に配置されており、
前記第１の走査線は、前記信号線及び前記電源線と交差しており、
前記第２のトランジスタのゲートは、前記信号線を共有している画素間において、複数の第２の走査線によって接続されていることを特徴とする発光装置。
【請求項４】
第１乃至第３のトランジスタと、発光素子とを各画素に有し、
前記第１のトランジスタのゲートは、第１の走査線に接続されており、
前記第２のトランジスタのゲートは、第２の走査線に接続されており、
前記第１のトランジスタによって、信号線と前記第３のトランジスタのゲートとの接続が制御され、
前記第２のトランジスタ及び前記第３のトランジスタは、前記発光素子が有する画素電極と、電源線との間において、直列に接続されており、
前記信号線及び前記第２の走査線は並列に配置されており、
前記第１の走査線と前記電源線とは並列に配置されており、
前記第１の走査線と前記電源線、及び前記信号線と前記第２の走査線と、が交差していることを特徴とする発光装置。
【請求項５】
第１乃至第４のトランジスタと、発光素子とを各画素に有し、
前記第１のトランジスタによって前記画素へのビデオ信号の入力が制御され、
前記第３のトランジスタは、前記ビデオ信号の電位に従ってスイッチングが制御され、
前記第２のトランジスタ乃至前記第４のトランジスタは、前記発光素子が有する画素電極と、電源線との間において、直列に接続されていることを特徴とする発光装置。
【請求項６】
第１乃至第４のトランジスタと、発光素子とを各画素に有し、
前記第１のトランジスタによって前記画素へのビデオ信号の入力が制御され、
前記第３のトランジスタは、前記ビデオ信号の電位に従ってスイッチングが制御され、
前記第３のトランジスタ及び前記第４のトランジスタがオンのときに、前記第２のトランジスタによって、前記発光素子に供給される電流の値が制御され、
前記第１のトランジスタがオンのときに、前記第４のトランジスタによって、前記発光素子に供給される前記電流を停止することができ、
前記第２のトランジスタ乃至前記第４のトランジスタは、前記発光素子が有する画素電極と、電源線との間において、直列に接続されていることを特徴とする発光装置。
【請求項７】
第１乃至第４のトランジスタと、発光素子とを各画素に有し、
前記第１のトランジスタのゲートは、第１の走査線に接続されており、
前記第１のトランジスタによって、信号線と前記第３のトランジスタのゲートとの接続が制御され、
前記第２のトランジスタ乃至前記第４のトランジスタは、前記発光素子が有する画素電極と、第１の電源線との間において、直列に接続されており、
前記第２のトランジスタのゲートは、第２の電源線に接続されており、
前記第４のトランジスタのゲートは、第２の走査線に接続されていることを特徴とする発光装置。
【請求項８】
第１乃至第３のトランジスタと、発光素子とを各画素に有し、
前記第１のトランジスタのゲートは、走査線に接続されており、
前記第２のトランジスタのゲートは、信号線に接続されており、
前記第１のトランジスタによって、前記信号線と前記第３のトランジスタのゲートとの接続が制御され、
前記第２のトランジスタ及び前記第３のトランジスタは、前記発光素子が有する画素電極と、電源線との間において、直列に接続されており、
単数または複数のスイッチング素子を含む回路素子により、前記信号線に供給される電位を、切り替えることができることを特徴とする発光装置。
【請求項９】
第１乃至第３のトランジスタと、発光素子とを各画素に有し、
前記第１のトランジスタのゲートは、第１の走査線に接続されており、
前記第２のトランジスタのゲートは、第２の走査線に接続されており、
前記第１のトランジスタによって、前記信号線と前記第３のトランジスタのゲートとの接続が制御され、
前記第２のトランジスタ及び前記第３のトランジスタは、前記発光素子が有する画素電極と、電源線との間において、直列に接続されており、
単数または複数のスイッチング素子を含む回路素子により、前記信号線に供給される電位を、切り替えることができることを特徴とする発光装置。
【請求項１０】
請求項８又は請求項９において、
前記回路素子は、インバータを含むことを特徴とする発光装置。
【請求項１１】
請求項１乃至請求項１０のいずれか一において、
前記第３のトランジスタは、ゲートと、ソース又はドレインの一方と、が容量素子を介して接続されていることを特徴とする発光装置。
【請求項１２】
請求項１乃至請求項１１のいずれか一において、
前記第３のトランジスタは、チャネル幅に対するチャネル長の比が５以上であることを特徴とする発光装置。
【請求項１３】
請求項１乃至請求項１２のいずれか一において、
前記第３のトランジスタのチャネル長をＬ１、チャネル幅をＷ１、前記第２のトランジスタのチャネル長をＬ２、チャネル幅をＷ２とすると、Ｌ１／Ｗ１：Ｌ２／Ｗ２＝Ｘ：１のとき、Ｘは５以上６０００以下であることを特徴とする発光装置。
【請求項１４】
第１乃至第３のトランジスタと、発光素子とを各画素に有し、
前記発光素子は、画素電極と、対向電極と、前記画素電極と前記対向電極との間に形成された電界発光層とを有し、
前記第２のトランジスタと前記第３のトランジスタとは、電源線と前記画素電極の間において直列に接続されており、
第１の期間では、前記第１のトランジスタがオンになることでビデオ信号の電位が前記第３のトランジスタのゲートに供給され、なおかつ前記電源線及び前記対向電極に第１の電位が供給されており、
第２の期間では、前記第１のトランジスタがオフになることで前記ビデオ信号の電位が前記第３のトランジスタのゲートにおいて保持され、なおかつ前記電源線に前記第１の電位が、前記対向電極に第２の電位が供給されており、
前記第１の期間及び前記第２の期間において、前記第２のトランジスタのゲートには、前記第３のトランジスタがオンのときに前記第２のトランジスタがオンになるような高さの電位が与えられており、
前記第１の電位と前記第２の電位は、前記第２の期間において前記第３のトランジスタがオンのときに前記発光素子の順方向に電流を供給することができる高さであることを特徴とする発光装置の駆動方法。
【請求項１５】
第１乃至第３のトランジスタと、発光素子とを各画素に有し、
前記発光素子は、画素電極と、対向電極と、前記画素電極と前記対向電極との間に形成された電界発光層とを有し、
前記第２のトランジスタと前記第３のトランジスタは電源線と前記画素電極の間において直列に接続されており、
第１の期間では、前記第１のトランジスタがオンになることでビデオ信号の電位が前記第３のトランジスタのゲートに供給され、なおかつ前記対向電極に接続されたスイッチング素子がオフになることで発光素子への電流の供給が遮断されており、
第２の期間では、前記第１のトランジスタがオフになることで前記ビデオ信号の電位が前記第３のトランジスタのゲートにおいて保持され、なおかつ前記電源線に第１の電位が、前記対応電極に前記スイッチング素子を介して第２電位が供給されており、
前記第１の期間及び前記第２の期間において、前記第２のトランジスタのゲートには、前記第３のトランジスタがオンのときに前記第２のトランジスタがオンになるような高さの電位が与えられており、
前記第１の電位と前記第２の電位は、前記第２の期間において前記第３のトランジスタがオンのときに前記発光素子の順方向に電流を供給することができる高さであることを特徴とする発光装置の駆動方法。
【請求項１６】
第１乃至第３のトランジスタと、発光素子とを各画素に有し、
前記発光素子は、画素電極と、対向電極と、前記画素電極と前記対向電極との間に形成された電界発光層とを有し、
前記第２のトランジスタと前記第３のトランジスタは電源線と前記画素電極の間において直列に接続されており、
第１の期間では、前記第１のトランジスタがオンになることでビデオ信号の電位が前記第３のトランジスタのゲートに供給され、なおかつ前記第２のトランジスタがオフしており、
第２の期間では、前記第１のトランジスタがオフになることで前記ビデオ信号の電位が前記第３のトランジスタのゲートにおいて保持され、なおかつ前記第２のトランジスタのゲートには、前記第３のトランジスタがオンのときに前記第２のトランジスタがオンになるような高さの電位が与えられており、
少なくとも前記第２の期間において、前記電源線に第１の電位が、前記対向電極に第２の電位が供給されており、
前記第１の電位と前記第２の電位は、前記第２の期間において前記第３のトランジスタがオンのときに前記発光素子の順方向に電流を供給することができる高さであることを特徴とする発光装置の駆動方法。
【請求項１７】
第１乃至第３のトランジスタと、発光素子とを各画素に有し、
前記発光素子は、画素電極と、対向電極と、前記画素電極と前記対向電極との間に形成された電界発光層とを有し、
前記第２のトランジスタと前記第３のトランジスタは電源線と前記画素電極の間において直列に接続されており、
前記第２のトランジスタのゲートは前記電源線に接続されており、
第１の期間では、前記第１のトランジスタがオンになることでビデオ信号の電位が前記第３のトランジスタのゲートに供給され、なおかつ前記電源線及び前記対向電極に第１の電位が供給されており、
第２の期間では、前記第１のトランジスタがオフになることで前記ビデオ信号の電位が前記第３のトランジスタのゲートにおいて保持され、なおかつ前記電源線に前記第１の電位が、前記対向電極に第２の電位が供給されており、
前記第１の期間及び前記第２の期間において、前記第２のトランジスタのゲートには、前記第３のトランジスタがオンのときに前記第２のトランジスタがオンになるような高さの電位が与えられており、
前記第１の電位と前記第２の電位は、前記第２の期間において前記第３のトランジスタがオンのときに前記発光素子の順方向に電流を供給することができる高さであることを特徴とする発光装置の駆動方法。
【請求項１８】
第１乃至第３のトランジスタと、発光素子とを各画素に有し、
前記発光素子は、画素電極と、対向電極と、前記画素電極と前記対向電極との間に形成された電界発光層とを有し、
前記第２のトランジスタと前記第３のトランジスタは電源線と前記画素電極の間において直列に接続されており、
前記第２のトランジスタのゲートは前記電源線に接続されており、
第１の期間では、前記第１のトランジスタがオンになることでビデオ信号の電位が前記第３のトランジスタのゲートに供給され、なおかつ前記対向電極に接続されたスイッチング素子がオフになることで発光素子への電流の供給が遮断されており、
第２の期間では、前記第１のトランジスタがオフになることで前記ビデオ信号の電位が前記第３のトランジスタのゲートにおいて保持され、なおかつ前記電源線に第１の電位が、前記対応電極に前記スイッチング素子を介して第２電位が供給されており、
前記第１の期間及び前記第２の期間において、前記第２のトランジスタのゲートには、前記第３のトランジスタがオンのときに前記第２のトランジスタがオンになるような高さの電位が与えられており、
少なくとも前記第２の期間において、前記電源線に第１の電位が、前記対向電極にスイッチング素子を介して第２の電位が供給されており、
前記第１の期間では、前記スイッチング素子がオフしており、
前記第１の電位と前記第２の電位は、前記第２の期間において前記第３のトランジスタがオンのときに前記発光素子の順方向に電流を供給することができる高さであることを特徴とする発光装置の駆動方法。
【請求項１９】
第１乃至第４のトランジスタと、発光素子とを各画素に有し、
前記発光素子は、画素電極と、対向電極と、前記画素電極と前記対向電極との間に形成された電界発光層とを有し、
前記第２のトランジスタ乃至前記第４のトランジスタは、電源線と前記画素電極の間において直列に接続されており、
第１の期間では、前記第１のトランジスタがオンになることでビデオ信号の電位が前記第３のトランジスタのゲートに供給され、なおかつ前記第４のトランジスタがオフしており、
第２の期間では、前記第１のトランジスタがオフになることで前記ビデオ信号の電位が前記第３のトランジスタのゲートにおいて保持され、なおかつ前記第４のトランジスタがオンしており、
前記第１の期間及び前記第２の期間において、前記第２のトランジスタのゲートには、前記第３のトランジスタ及び前記第４のトランジスタがオンのときに前記第２のトランジスタがオンになるような高さの電位が与えられており、
少なくとも前記第２の期間において、前記電源線に第１の電位が、前記対向電極に第２の電位が供給されており、
前記第１の電位と前記第２の電位は、前記第２の期間において前記第３のトランジスタがオンのときに前記発光素子の順方向に電流を供給することができる高さであることを特徴とする発光装置の駆動方法。
【請求項２０】
請求項１９において、
前記第４のトランジスタは線形領域で動作することを特徴とする発光装置の駆動方法。
【請求項２１】
請求項１４乃至請求項２０のいずれか一において、
前記第１のトランジスタは線形領域で動作することを特徴とする発光装置の駆動方法。
【請求項２２】
請求項１４乃至請求項２１のいずれか一において、
前記第２のトランジスタは飽和領域で動作することを特徴とする発光装置の駆動方法。
【請求項２３】
請求項１４乃至請求項２２のいずれか一において、
前記第３のトランジスタは線形領域で動作することを特徴とする発光装置の駆動方法。